(57)【特許請求の範囲】
【請求項１】
互いに閉合、開離する突合面と、この突合面に直交する取り付け面とをそれぞれ有する第１部材と第２部材とを締結するために、取り付け面上に取り付けられるラッチ装置であって、
第１部材の取り付け面上に取り付けられる第１の締結体と、第２部材の取り付け面上に取り付けられ第１の締結体に対して結合・分離可能な第２の締結体とを具備し、
前記第１の締結体は、前記第１部材の取り付け面上に固着される支持部材と、当該取り付け面及び前記突合面に平行な枢軸により支持部材に枢支され取り付け面側に倒伏した締結位置と取り付け面から起立した非締結位置との間を回動自在で締結位置に付勢されるラッチレバーと、このラッチレバー上に固着されキー操作により締結位置にあるラッチレバーを支持部材に拘束・解放する錠前ユニットとを具備し、
前記ラッチレバーは、前記突合面が閉合したとき締結位置において前記第２の締結体に係合し非締結位置において前記第２の締結体から離脱する係合部を前記突合面側である先端側に有し、後端側にラッチレバーを付勢力に抗して非締結位置へ回転操作する押し下げ操作部を有し、
前記第２の締結体は、前記第２部材の取り付け面上に固着され、第２部材が前記第１部材に閉合する動作途上で前記ラッチレバーの係合部を摺動させて非締結位置へ押し上げるように突合面と反対方向に高くなる斜面と、係合部がこの斜面の上端を超えたとき付勢力で回動して係合するように斜面の上端から取り付け面に向かってほぼ直角に下降する係合面とを具備し、
前記支持部材は、前記第１部材の取り付け面上に固着されるほぼ矩形の底板部と、この底板部における前記突合面に対して直角の両側縁から直角に起立して前記枢軸を支持する平行一対の軸受け部と、前記両側縁から直角に起立し上端において対向方向に屈折して底板部に平行に延出する対向一対の鎖錠部とを具備し、
前記ラッチレバーは、ほぼ矩形の上板部と、この上板部における前記突合面に対して直角の両縁からそれぞれ直角に下方へ屈折する対向一対の側板部と、 上板部の先端縁から鋭角に下方へ屈折する係合板部と、を具備し、
前記ラッチレバーの上板部は、前記枢軸より後方部位に、前記押し下げ操作部を具備し、
前記ラッチレバーの側板部は、前記支持部材の軸受け部及び鎖錠部の外側に重なり、前記枢軸により軸受け部に枢支され、
前記ラッチレバーの係合板部は、前記第２の締結体の係合面に係合する前記係合部を構成し、
前記錠前ユニットは、前記ラッチレバーの上板部を直角に貫通するように固着され、キー操作により施錠位置と解錠位置との間で回転する掛金板を具備し、ラッチレバーが締結位置にあるとき施錠位置においてこの掛金板が前記支持部材の一対の鎖錠部の下面側に係合するように構成されることを特徴とするラッチ装置。
【請求項２】
前記ラッチレバーは、前記第１部材と前記第２部材とが閉合した状態で、締結位置において前記第２の締結体を覆い隠すように構成されることを特徴とする請求項１に記載のラッチ装置。
【発明の詳細な説明】
【技術分野】
【０００１】
この発明は、筐体とそれの開口を開閉する蓋体のような２つの部材間を締結するラッチ装置に関する。
【背景技術】
【０００２】
従来、上記のようなラッチ装置として、例えば特許文献１に記載されるキャッチロックと称される金具が知られている。キャッチロックは、一般に、蓋を閉じた後にキャッチレバーを相手方のキーパーに係合させる操作をしなければならない。その操作を忘れると、蓋は不用意に開くことがある。例えば、筐体が自転車やオートバイの荷台に搭載されたものである場合、ロック操作を忘れた蓋は、走行中に不用意に開き、収納物を紛失することになりかねない。そこで、特許文献１に記載されるキャッチロックは、蓋の閉鎖時にキャッチレバーをキーパーに自動的に係合させて仮ロックし、しかもその仮ロックを容易に解くことができ、かつ別途、本ロック操作を容易にできるようにしたものである。
【先行技術文献】
【特許文献】
【０００３】
【特許文献１】特開平８−１４４６１３号公報
【発明の概要】
【発明が解決しようとする課題】
【０００４】
上記課題を解決するための、この出願に係る発明のラッチ装置は、筐体とそれの蓋体のような２部材間を締結するラッチ装置であって、ロック操作をしなくても、蓋体の閉鎖動作により自動的に筐体との間が締結され、施錠なしでも両者間が不用意に開離することがないものを、上記キャッチロックとは異なった構成で提供することを目的としている。
【課題を解決するための手段】
【０００５】
以下、添付図面の符号を参照して説明するが、本発明はこれに限定されるものではない。
上記課題を解決するための、この出願に係る発明のラッチ装置１は、筐体と蓋体のような、互いに閉合、開離する突合面４２，５２と、この突合面４２，５２に直交する取り付け面４３，５３とをそれぞれ有する第１部材４１と第２部材５１とを締結するために、取り付け面４３，５３上に取り付けられる。第１の締結体２は、第１部材４１の取り付け面４３上に取り付けられる。第２の締結体３は、第２部材５１の取り付け面５３上に取り付けられ第１の締結体２に対して結合・分離可能である。第１の締結体２は、第１部材４１の取り付け面４３上に固着される支持部材４と、当該取り付け面４３及び突合面４２に平行な枢軸７により、支持部材４に枢支され、取り付け面４３側に倒伏した締結位置と取り付け面４３から起立した非締結位置との間を回動自在で締結位置に付勢されるラッチレバー５と、このラッチレバー５上に固着されキー操作により締結位置にあるラッチレバー５を支持部材４に拘束・解放する錠前ユニット６とを具備する。ラッチレバー５は、突合面４２，５２が閉合したとき、締結位置において第２の締結体３に係合し、非締結位置において、第２の締結体３から離脱する係合部１４を突合面４２側である先端側に有し、後端側にはラッチレバー５を付勢力に抗して非締結位置へ回転操作する押し下げ操作部１２ａを有する。第２の締結体３は、第２部材５１の取り付け面５３上に固着され、第２部材５１が第１部材４１に閉合する動作途上で、ラッチレバー５の係合部１４を摺動させて非締結位置へ押し上げるように、突合面５２と反対方向に高くなる斜面２０ａと、係合部１４がこの斜面２０ａの上端を超えたとき付勢力で回動して係合するように、斜面２０ａの上端から取り付け面５３に向かってほぼ直角に下降する係合面１９ａとを具備する。
【発明の効果】
【０００６】
この出願に係る発明のラッチ装置によれば、ロック操作をしなくても、蓋体の閉鎖動作により自動的に筐体との間が締結され、両者間が不用意に開離することがなく、しかも締結の解除操作を容易に行うことができる。
【図面の簡単な説明】
【０００７】
【図１】本発明に係るラッチ装置の正面図である。
【図２】図１のラッチ装置の平面図である。
【図３】図１のラッチ装置の一部を切り欠いた底面図である。
【図４】図１のラッチ装置の非締結状態の断面図である。
【図５】図１のラッチ装置の締結途上の断面図である。
【図６】図１のラッチ装置の締結状態の断面図である。
【図７】図１のラッチ装置における締結解除操作時の断面図である。
【図８】図１のラッチ装置における支持部材の斜視図である。
【図９】図１のラッチ装置における支持部材と掛金板の関係を示す平面図である。
【発明を実施するための形態】
【０００８】
図面を参照してこの発明の実施の形態を説明する。
ラッチ装置１を装着する部材は、筐体のような第１部材４１と、筐体の上部開口を開閉するための蓋体のような第２部材５１とを具備する。第１部材４１と第２部材５１は、互いに閉合、開離する突合面４２，５２と、この突合面に直交する取り付け面４３，５３とをそれぞれ有する。
ラッチ装置１は、第１、第２の２つの締結体２，３からなり、第１部材４１と第２部材５１とを締結するために、それぞれ取り付け面４３，５３上の、突合面４２，５２に接近した部位に取り付けられる。
【０００９】
ラッチ装置１は、第１部材４１の取り付け面４３上に取り付けられる第１の締結体２と、第２部材５１の取り付け面５３上に取り付けられる第２の締結体３とを具備する。第１の締結体２と第２の締結体３は、互いに結合、分離可能に構成される。
【００１０】
第１の締結体２は、支持部材４と、ラッチレバー５と、錠前ユニット６とを具備する。支持部材４は、第１部材４１の取り付け面４３上に固着される。ラッチレバー５は、取り付け面４３および突合面４２に平行な枢軸７により、支持部材４に枢支される。
【００１１】
支持部材４は、板材を屈曲成形して一体に構成され、底板部８と、軸受け部９と、鎖錠部１０とを具備する。ほぼ矩形の底板部８は、第１部材４１の取り付け面４３上に、図示しないボルトで固着される。軸受け部９は、底板部８における、突合面４２と直交する両側縁から直角に起立し、枢軸７を受けて、ラッチレバー５を枢支する。軸受け部９の上端には、そこから直角に屈折して底板部８に平行に延出するストッパ１１が形成される。鎖錠部１０は、軸受け部９の突合面４２側である前方に位置して、底板部８の両側縁から直角に起立し、上端において対向方向に屈折して底板部８に平行に延出する。
【００１２】
ラッチレバー５は、板材を屈曲成形して一体に構成され、ほぼ矩形の上板部１２と、それの両縁の側板部１３と、前端側の係合板部１４とを具備する。側板部１３は、上板部１２における突合面４２と直交する両縁から相対向して直角に垂下し、支持部材４の軸受け部９及び鎖錠部１０の外側に重なり、後方部位において枢軸７で、軸受け部９に枢支される。これにより、ラッチレバー５は、図６に示すように、取り付け面４３上に倒伏した締結位置と、図７に示すように、取り付け面４３から起立した非締結位置との間を回動自在であり、図４に示すように、締結位置において前方端部が突合面４２より前方へ延出する。
【００１３】
枢軸７に巻かれたばね１５の一端が支持部材４の鎖錠部１０の下面に、他端がラッチレバー５の上板部１２の後部下面にそれぞれ係止され、それによってラッチレバー５は、図４，６に示す締結位置に付勢される。
【００１４】
上板部１２における枢止部より後方部位が押し下げ操作部１２ａとなっており、ここを取り付け面４３に向かって押し下げ操作することによって、図７に示すように、ラッチレバー５がばね力に抗して枢軸７を中心に回転起立する。
【００１５】
錠前ユニット６は、ラッチレバー５上に、ロータの回転軸線を上板部１２に垂直に向けて、上板部１２を貫通するように固着される。錠前ユニット６は、掛金板１６を具備する。掛金板１６は、ラッチレバー５が締結位置にあるとき、支持部材４の鎖錠部１０間に、上板部１２とほぼ平行に配置される。掛金板１６は、キー操作により施錠位置（図９における実線位置）と解錠位置（図９における仮想線位置）との間で回転し、施錠位置において鎖錠部１０の下面側に係合し、解錠位置において鎖錠部１０から外れる。
【００１６】
第２の締結体３は、板材を屈曲成形して一体に構成され、取り付け板部１８と、係合板部１９と、傾斜板部２０とを具備する。取り付け板部１８は、第２部材５１の取り付け面５３上に、スペーサ１７を介して図示しないボルトで固着される。係合板部１９は、取り付け板部１８における突合面５２と反対側である後方端縁から直角に起立し、後方にラッチレバー５の係合板部１４が係合する係合面１９ａを有する。傾斜板部２０は、係合板部１９の上端から前方に向かって下降する斜面２０ａを有する。斜面２０ａは、ラッチレバー５の係合板部１４を摺動させる。
【００１７】
図１ないし図４において、筐体のような第１部材４１と蓋体のような第２部材５１とは、相互に突合面４２，５２間を開離させた位置にあり、第１締結体２のラッチレバー５は、ばね１５により付勢されて締結位置にある。この状態から第２部材５１を図４の矢線方向に移動させると、図５に示すように、係合板部１４の下縁が第２締結体３の斜面２０ａ上を摺動しながら、ラッチレバー５の先端側が起き上がる。図６に示すように、突合面４２，５２が突き合わさる位置で、係合板部１４の下縁が斜面２０ａの上端を超え、ラッチレバー５がばね力で締結位置へ復帰することにより、係合板部１４が第２締結体３の係合面１９ａに自動的に係合する。この状態で、部材４１，５１間は締結され、そのままでは突合面４２，５２間を開離することができなくなる。すなわち、例えば、筐体の蓋を閉じれば、自動的に両者間が締結されるので、締結忘れを生じるおそれがない。さらにこの状態で、キー操作により、錠前ユニット６を施錠位置に持ち来すと、掛金板１６が支持部材４の鎖錠部１０に係合して、ラッチレバー５が締結位置に錠止される。この状態で、ラッチレバー５は、側板部１３と係合板部１４に囲まれた空間の内側に第２の締結体３を覆い隠すように構成される。
【００１８】
錠前ユニット６を解錠操作して、図７に示すように、ラッチレバー５の操作部１２ａを押圧操作すると、ラッチレバー５は非締結位置へ立ち上がり、第１、第２締結体２，３間の係合が解除されるから、この状態で第１、第２部材４１，５１間を開離することができる。
【符号の説明】
【００１９】
１    ラッチ装置
２    第１締結体
３    第２締結体
４    支持部材
５    ラッチレバー
６    錠前ユニット
７    枢軸
８    底板部
９    軸受け部
１０  鎖錠部
１１  ストッパ
１２  上板部
１２ａ  押し下げ操作部
１３  側板部
１４  ばね
１５  係合板部
１６  掛金板
１７  スペーサ
１８  取り付け板部
１９  係合板部
１９ａ  係合面
２０  傾斜板部
２０ａ  斜面
４１  第１部材
４２  突合面
４３  取り付け面
５１  第１部材
５２  突合面
５３  取り付け面
【図１】
0005613199.tif 000002
【図２】
0005613199.tif 000003
【図３】
0005613199.tif 000004
【図４】
0005613199.tif 000005
【図５】
0005613199.tif 000006
【図６】
0005613199.tif 000007
【図７】
0005613199.tif 000008
【図８】
0005613199.tif 000009
【図９】
0005613199.tif 000010